(57)【要約】【課題】座部を支える支台部と、座部の昇降駆動手段と、座部下面にあって揺動動作で被検知物を検知する下降障害検知センサーとを備え、そのセンサーの検知で昇降駆動手段が停止する座部昇降可能な椅子において、座部の前方・後方の被検知物を検知して停止させ得るようにする。【解決手段】前記下降障害検知センサー6は、座部2下面に支持された可動部材60と該部材の変位を検知するセンサースイッチで形成される。可動部材60は座部2下面を覆う仮想四角形の角部に対応位置する吊り下げ支点62a~62dで吊下げられて上動且つ全方向に揺動可能になっており、センサースイッチは横並びの吊り下げ支点間の中央に二個を対向配置し、そうして可動部材60の上動又は揺動に伴う吊り下げ支点間の中央変位を検知するものであり、さらに二個のセンサースイッチは一方又は双方が変位を検知した場合に昇降駆動手段5が停止するようになっている。【選択図】        図１
2014068984.tif 000002
【特許請求の範囲】
【請求項１】
使用者が着座する座部と、
その座部を昇降可能に支える支台部と、
前記座部を前記支台部に対して昇降させ得る昇降駆動手段と、
前記座部の下面領域に揺動可能に取り付けられてその揺動動作で座部下面と床面との間に入った被検知物を検知する下降障害検知センサーと、を備え、
前記下降障害検知センサーの検知を受けて前記昇降駆動手段が少なくとも下降停止するようになっている座部昇降可能な椅子において、
前記下降障害検知センサーは、前記座部下面に揺動可能に支持された可動部材と、その可動部材の変位を検知するセンサースイッチと、で形成され、
前記可動部材は、前記座部下面のほぼ全体を覆い得る大きさの仮想四角形を基準にしてその仮想四角形の少なくとも四つの角部に対応位置し且つ上動可能な吊り下げ支点で吊り下げられて前記座部下面に対して少なくとも上動可能且つ前後方向と左右方向に揺動可能になっており、
一方、前記センサースイッチは、前記可動部材の前後方向に並ぶ両横の前記吊り下げ支点間のほぼ中央又は可動部材の左右方向に並ぶ前後の前記吊り下げ支点間のほぼ中央に対応させて二個を対向配置し、そうして前記可動部材の上動又は揺動に伴う前記吊り下げ支点間のほぼ中央の変位を検知するものであり、
さらに前記二個のセンサースイッチは、何れか一方又は双方が可動部材の前記変位を検知した場合に、前記昇降駆動手段が少なくとも下降停止するようになっていることを特徴とする座部昇降可能な椅子。
【請求項２】
前記座部は、座板と、その座板の下面に固着され且つ前記支台部と一体である左右一対の座受けアームと、その座受けアームの下縁に内向き鍔状に突設したセンサー受枠と、を有しており、
一方、前記可動部材は、前記吊り下げ支点が、逆さＬ字状に形成されていてその逆Ｌ字部を前記センサー受枠に引っ掛けて上動可能とし、さらに前記センサースイッチに対応する位置にスイッチ操作部材を突設したものであり、
また、前記センサースイッチは、前記座受けアームの前記センサー受枠側の内面に取り付けられていて前記可動部材の前記スイッチ操作部材の変位を受けてＯＮ・ＯＦＦ状態が切り替わるものであることを特徴とする請求項１記載の座部昇降可能な椅子。
【請求項３】
前記座受けアームの前記センサー受枠側の内面に前記センサースイッチを保護するカバー部材を設けると共に、そのカバー部材に前記可動部材の前記スイッチ操作部材を前記センサースイッチに誘導し得るガイド溝を設けたことを特徴とする請求項２記載の座部昇降可能な椅子。
【発明の詳細な説明】
【技術分野】
【０００１】
本発明は、使用者が着座する座部の高さを、膝をほぼ９０度に曲げた程度の楽な姿勢で腰掛け得る高位置と、座椅子相当の低位置と、の間で昇降可能にした椅子に関する。
【背景技術】
【０００２】
座部昇降可能な椅子が、例えば特許文献１に記載されている。この椅子は、使用者が着座する座部と、その座部を昇降可能に支える支台部と、前記座部を前記支台部に対して昇降させ得る昇降駆動手段と、前記座部の下面領域に揺動可能に取り付けられてその揺動動作で座部下面と床面との間に入った使用者自身の足或は他人の足などの被検知物を検知する下降障害検知センサーと、を備えていて、その下降障害検知センサーの検知を受けて前記昇降駆動手段が少なくとも下降停止するようになっている。
【先行技術文献】
【特許文献】
【０００３】
【特許文献１】特開２００３−６１７７５号公報（段落００２６）
【発明の概要】
【発明が解決しようとする課題】
【０００４】
上記特許文献１の下降障害検知センサーは、主として揺動可能な安全バーで形成されている。この安全バーは、座部の後方位置に揺動中心を設けて小角度に揺動し得るようになっているため、揺動中心に近い座部後方の側面に被検知物が当たっても揺動しない、つまり検知できない可能性があった。したがって、特許文献１の椅子を、例えば危険性について十分認識できない幼い子供がいるような一般家庭で使用した場合、座部の後方と床面との間に誤って子供の身体の一部が挟まれる事故が起こり得る。
【０００５】
本発明は上記に鑑みなされたもので、その目的は、座部の前方はもちろん、座部の後方の被検知物をも検知して少なくとも座部の下降を停止させ得る座部昇降可能な椅子を提供することにある。
【課題を解決するための手段】
【０００６】
上記の目的を達成するため本発明は、
使用者が着座する座部と、
その座部を昇降可能に支える支台部と、
前記座部を前記支台部に対して昇降させ得る昇降駆動手段と、
前記座部の下面領域に揺動可能に取り付けられてその揺動動作で座部下面と床面との間に入った被検知物を検知する下降障害検知センサーと、を備え、
前記下降障害検知センサーの検知を受けて前記昇降駆動手段が少なくとも下降停止するようになっている座部昇降可能な椅子において、
前記下降障害検知センサーは、前記座部下面に揺動可能に支持された可動部材と、その可動部材の変位を検知するセンサースイッチと、で形成され、
前記可動部材は、前記座部下面のほぼ全体を覆い得る大きさの仮想四角形を基準にしてその仮想四角形の少なくとも四つの角部に対応位置し且つ上動可能な吊り下げ支点で吊り下げられて前記座部下面に対して少なくとも上動可能且つ前後方向と左右方向に揺動可能になっており、
一方、前記センサースイッチは、前記可動部材の前後方向に並ぶ両横の前記吊り下げ支点間のほぼ中央又は可動部材の左右方向に並ぶ前後の前記吊り下げ支点間のほぼ中央に対応させて二個を対向配置し、そうして前記可動部材の上動又は揺動に伴う前記吊り下げ支点間のほぼ中央の変位を検知するものであり、
さらに前記二個のセンサースイッチは、何れか一方又は双方が可動部材の前記変位を検知した場合に、前記昇降駆動手段が少なくとも下降停止するようになっている座部昇降可能な椅子を提供する。
【０００７】
また、請求項２に記載したように、前記座部は、座板と、その座板の下面に固着され且つ前記支台部と一体である左右一対の座受けアームと、その座受けアームの下縁に内向き鍔状に突設したセンサー受枠と、を有しており、
一方、前記可動部材は、前記吊り下げ支点が、逆さＬ字状に形成されていてその逆Ｌ字部を前記センサー受枠に引っ掛けて上動可能とし、さらに前記センサースイッチに対応する位置にスイッチ操作部材を突設したものであり、
また、前記センサースイッチは、前記座受けアームの前記センサー受枠側の内面に取り付けられていて前記可動部材の前記スイッチ操作部材の変位を受けてＯＮ・ＯＦＦ状態が切り替わるものである請求項１記載の座部昇降可能な椅子を提供する。
【０００８】
また、請求項３に記載したように、前記座受けアームの前記センサー受枠側の内面に前記センサースイッチを保護するカバー部材を設けると共に、そのカバー部材に前記可動部材の前記スイッチ操作部材を前記センサースイッチに誘導し得るガイド溝を設けた請求項２記載の座部昇降可能な椅子を提供する。
【発明の効果】
【０００９】
請求項１，２に記載した座部昇降可能な椅子は、
第１に、座部の前方部分に被検知物があった場合に、可動部材が後方の吊り下げ支点を中心に後傾揺動してその揺動をセンサースイッチで検知し、
第２に、座部の後方部分に被検知物があった場合に、可動部材が前方の吊り下げ支点を中心に前傾揺動してその揺動をセンサースイッチで検知し、
第３に、座部の前後の中間部分に被検知物があった場合に、可動部材が前後方向に並ぶ右列又は左列の吊り下げ支点を中心に左右方向に揺動してその揺動を反支点側のセンサースイッチで検知し、
第４に、座部の下面ほぼ中央に被検知物があった場合に、可動部材全体が上動してその上動をセンサースイッチで検知する。
したがって、可動部材がフロートのように移動して座部のほぼ全域について被検知物を検知することができるから、幼い子供が椅子の周囲にいるような一般家庭でも安全に使用することができる。
【００１０】
また、請求項３に記載したように、座受けアームのセンサー受枠側の内面にセンサースイッチを保護するカバー部材を設けて、そのカバー部材にスイッチ操作部材をセンサースイッチに誘導し得るガイド溝を設けるようにした場合には、センサースイッチにスイッチ操作部材以外の物が触れることによる誤作動のおそれが少なくなることはもちろん、可動部材をフロートのように自由に移動させてもスイッチ操作部材によるセンサスイッチの作動の確実性が維持できる効果がある。
【図面の簡単な説明】
【００１１】
【図１】座板と背凭れを仮想線で示す椅子の斜視図である。
【図２】後側から見た椅子の斜視図である。
【図３】座部を下側から見上げた状態を示す斜視図である。
【図４】上半部を断面にして示す側面図である。
【図５】座椅子の高さにした使用状態を示す側面図である。
【図６】可動部材の斜視図である。
【図７】正常時の状態を示す座部の断面図である。
【図８】座部の前方で被検知物を検知した状態を示す座部の断面図である。
【図９】座部の後方側面で被検知物を検知した状態を示す座部の断面図である。
【発明を実施するための形態】
【００１２】
以下に本発明の実施の形態を図面を参照しつつ説明する。
【００１３】
実施形態の椅子１は、図１に示したように、使用者が着座する座部２と、その座部２と一体の背凭れ３と、座部２を昇降可能に支える支台部４と、座部２を支台部４に対して昇降させ得る昇降駆動手段５と、座部２の下面領域に揺動可能に取り付けられてその揺動動作で座部２下面と床面Ｆとの間に入った被検知物を検知する下降障害検知センサー６と、から概略構成される。
【００１４】
［座部］
前記座部２は、上面にクッションを設けた座板７と、その座板７の下面に固着された左右一対の座受けアーム８，８と、を備えている。この座受けアーム８は、断面略コ字状の金属材であって、上部の水平板が前記座板７を固定する座受け片であり、下部の内向き鍔状に突出する水平板が前記下降障害検知センサー６を支持するセンサー受枠８ａである。
【００１５】
［支台部］
前記支台部４は、使用する場所の床面Ｆに置くベース部４０と、そのベース部４０に上下摺動可能に装着された昇降部４１と、からなる。
前記ベース部４０は、床面Ｆに付く台脚４０ａと、その台脚４０ａから斜め上向きに伸びる二本の支柱脚４０ｂ，４０ｂとから概略構成される。
一方、昇降部４１は、前記支柱脚４０ｂ，４０ｂに内嵌して上下方向に摺動可能な摺動脚４１ａ，４１ａと、両摺動脚４１ａ，４１ａの上端を繋ぐ連結材４１ｂとから概略構成され、その摺動脚４１ａ，４１ａの下端に図４に示したように座部２の前記座受けアーム８，８の後端が一体に繋がっている。したがって座部２は昇降部４１と一体である。なお、図４，図５において符合９は摺動脚４１ａ，４１ａに設けたローラであり、そのローラ９を支柱脚４０ｂに内接させて転がすことによって、摺動脚４１ａ，４１ａを軽快に動かすことができる。
【００１６】
［昇降駆動手段］
前記昇降駆動手段５は、例えば電動モータ（図示せず）や油圧等の駆動源によって伸縮可能な伸縮ロッドであり、その下端部が前記支台部４のベース部４０の台脚４０ａに連結され、一方、上端部が前記支台部４の昇降部４１の連結材４１ｂに連結されている。したがって、昇降駆動手段５を伸ばすことによってその突張り力で昇降部４１が上昇し、逆に昇降駆動手段５を縮めることによって昇降部４１が下降する。前記のように昇降部４１と座部２は座受けアーム８を介して一体であるから、昇降駆動手段５たる伸縮ロッドを伸縮させることによって昇降部４１を介して座部２が昇降する。
【００１７】
［下降障害検知センサー］
前記下降障害検知センサー６は、座部２下面に少なくとも上動と揺動が可能なように支持された可動部材６０と、その可動部材６０の上動又は揺動による変位を検知するセンサースイッチ６１ａ，６１ｂと、で概略形成されている。
【００１８】
［下降障害検知センサー＿可動部材］
前記可動部材６０は、座部２下面のほぼ全体を覆い得る大きさ（具体的には、左右の座受けアーム８，８の間隔にほぼ相当する横幅と、その座受けアーム８，８の前後方向の長さにほぼ相当する奥行き）の仮想四角形Ｑ（図６想像線参照）を基準にしてその仮想四角形Ｑの少なくとも四つの角部に対応位置し且つ上動可能な吊り下げ支点６２ａ〜６２ｄで吊り下げられて前記座部２下面に対して上動可能且つ前後方向と左右方向に揺動可能になっている。
【００１９】
すなわち、可動部材６０は、図６に示したように、金属製の線材による骨組み構造であって、前記仮想四角形Ｑの四つの角部にほぼ対応する位置に、垂直な縦杆６０ａと、その縦杆６０ａの上端を水平外向きに屈曲させた横杆６０ｂと、からなる逆Ｌ字状の鍵部材を突設し、その鍵部材の横杆６０ｂを前記座受けアーム８のセンサー受枠８ａに単純に引っ掛けた状態にして座部２の下面に吊り下げられている。
したがって、可動部材６０は、鍵部材の横杆６０ｂが上動（浮き上がり）可能な吊り下げ支点６２ａ〜６２ｄになるため、座部２下面に対して左右方向に並ぶ吊り下げ支点６２ａ−６２ｂを支点として前傾方向に、また、吊り下げ支点６２ｃ−６２ｄを支点として後傾方向に、また、座部２下面に対して前後方向に並ぶ左列の吊り下げ支点６２ａ−６２ｄ又は右列の吊り下げ支点６２ｂ−６２ｃを支点として左右方向に揺動可能であり、さらに全吊り下げ支点６２ａ〜６２ｄが一斉に浮き上がった状態で上動し得る。もちろん、これらの揺動や上動が、同時的・複合的に組み合わさる場合もある。
【００２０】
また、可動部材６０には、前後方向に並ぶ左列の吊り下げ支点６２ａ−６２ｄと、同じく右列の吊り下げ支点６２ｂ−６２ｃの中間位置に、前記吊り下げ支点６２ａ〜６２ｄと同じく縦杆６０ｃと横杆６０ｄで逆さＬ字状を呈する鍵型のスイッチ操作部材６０ｅが設けられていて、そのスイッチ操作部材６０ｅの横杆６０ｄが座受けアーム８のセンサー受枠８ａ上に臨んでいる。
その他、可動部材６０には、座受けアーム８より前方に突出する前触枠６０ｆと、座受けアーム８より側方に突出する横触枠６０ｇ，６０ｇとが形成されており、主としてこの前触枠６０ｆ又は横触枠６０ｇが被検知物に触れる。
なお、左右の横触枠６０ｇ，６０ｇは、座受けアーム８，８の下側を横切る状態に連結されており、可動部材６０が後傾したとき座受けアーム８，８の下面に当接するようになっている。したがって、横触枠６０ｇ，６０ｇ同士の前側の連結部が、可動部材６０の後傾角度を適正範囲に規制するストッパー的役割をも担っている。
また、可動部材６０には、後側の端部に線状のストッパー部材６０ｈが突設されていて、このストッパー部材６０ｈが座受けアーム８のセンサー受枠８ａの下面に当たって可動部材６０の前傾角度を適正範囲に規制する。
【００２１】
［下降障害検知センサー＿センサースイッチ］
前記センサースイッチ６１ａ，６１ｂは、可動部材６０の前後方向左列に並ぶ吊り下げ支点６２ａ−６２ｄと、同じく右列に並ぶ吊り下げ支点６２ｂ−６２ｃの間のほぼ中央においてその可動部材６０の上下方向の変位を検知するべく、左右の座受けアーム８，８のセンサー受枠８ａ側の内面に一個ずつ合計二個を対向配置したものである。
実施形態のセンサースイッチ６１ａ，６１ｂは、図７に示したようにアクチュエータ６３を下側に配置したリーフスプリング形マイクロスイッチであって、そのアクチュエータ６３の直下に前記可動部材６０のスイッチ操作部材６０ｅが臨んでいる。
また、センサースイッチ６１ａ，６１ｂは、座受けアーム８，８の内面に衝立状に設けたカバー部材１０で覆われており、一方、前記スイッチ操作部材６０ｅは、そのカバー部材１０に設けたガイド溝１１に遊嵌されていて、このガイド溝１１に誘導されてセンサースイッチ６１ａ，６１ｂのアクチュエータ６３に確実に接触するようになっている。なお、ガイド溝１１は、スイッチ操作部材６０ｅの過上昇を規制してアクチュエータ６３が過剰に曲がらないように保護する役割をも果たすようになっている。
【００２２】
二個のセンサースイッチ６１ａ，６１ｂは、互いに直列に接続されていて、常態では前記昇降駆動手段５の座部２を昇降させる回路を閉じるＯＮ状態に設定されており、何れか一方（当然双方の場合も同じ。）がＯＦＦに状態が切り替わったとき、前記回路を開いて昇降駆動手段５を停止させるようになっている。したがって、もし何れか一方のセンサースイッチ６１ａ又は６１ｂに、ＯＦＦに切り替わらない障害が発生したとしても、もう一方のセンサースイッチ６１ｂ又は６１ａによって前記回路を開くことができる。
【００２３】
［その他］
図面中、１２，１２は座部２の両座受けアーム８，８に固着した左右の肘掛け、１３は一方（実施形態では右側）の肘掛け１２に取り付けた操作部において昇降駆動手段５を上昇操作するための上昇ボタン、１４は同じく昇降駆動手段５を下降操作するための下降ボタン、１５は支台部４（昇降部４１）の上端に設けた握り部、１６は支台部４（ベース部４０）の後端下部に設けた移動用のローラ、１７は支台部４（ベース部４０）の背面側を覆う安全カバーである。
【００２４】
［動作説明］
実施形態の椅子１は、昇降駆動手段５である伸縮ロッドを伸縮させることにより、座部２の高さを、図４に示した一般的な腰掛けレベルの高位置と、図５に示した座椅子レベルの低位置と、に自由に切り換えることができる。
すなわち、座部２が高位置にある図４の状態で、その座部２に腰掛けた者が前記下降ボタン１４を押すと、昇降駆動手段５の伸縮ロッドが縮んで支台部４の昇降部４１と一緒に座部２が着座者を載せたまま図５の低位置に下降し、一方、座部２が図５の低位置にある状態で着座者が上昇ボタン１３を押すと、昇降駆動手段５の伸縮ロッドが伸びて支台部４の昇降部４１と一緒に座部２が着座者を載せたまま図４の高位置に上昇する。
したがって、座椅子に座った姿勢から一人では容易に立つことが出来ない、或はその逆に立った姿勢から容易に座椅子に座ることが出来ない、という高齢者等が、介助者の助けを借りずに一人で座椅子に座り、さらにそこから一人で立ち上がる、という自立した日常生活が行えるようになる。
【００２５】
以上は、座部２と床面Ｆの間に被検知物が無い正常時の状態についての説明であり、その場合可動部材６０は、図７に示したように座受けアーム８のセンサー受枠８ａに全ての吊り下げ支点６２ａ〜６２ｄが吊り下げられてほぼ水平な姿勢を保っている。したがって可動部材６０のスイッチ操作部材６０ｅは、図７拡大図に示したようにセンサースイッチ６１ａ，６１ｂのアクチュエータ６３から僅かな間隔を保って静止している。
【００２６】
次に、座部２が高位置にある図４の状態から前記のように下降ボタン１４を押して座部２を下降させているとき、座部２と床面Ｆとの間に他人の足や、自分の足などの被検知物が入り込んだ場合について説明する。
まず、座部２の前方の部分に被検知物がある場合、図８に矢示したように、その被検知物に可動部材６０の前触枠６０ｆや横触枠６０ｇの前方が当たって前方の吊り下げ支点６２ａ，６２ｂが浮き上がり、可動部材６０が後方の吊り下げ支点６２ｃ，６２ｄを支点として後傾揺動する。そして、その揺動に伴うスイッチ操作部材６０ｅの上昇により、図８拡大図に示したようにアクチュエータ６３が押されてセンサースイッチ６１ａ，６１ｂが共にＯＦＦに切り替わり、これにより昇降駆動手段５が停止して座部２の下降が停止する。
【００２７】
また、座部２の後方部分に被検知物がある場合は、図９に矢示したように、その被検知物に可動部材６０の後方（多くは横触枠６０ｇの後方）が当たって後側の吊り下げ支点６２ｃ，６２ｄが浮き上がり、可動部材６０が前方の吊り下げ支点６２ａ，６２ｂを支点として前傾揺動する。そして、その揺動に伴うスイッチ操作部材６０ｅの上昇により、図９拡大図に示したようにアクチュエータ６３が押されてセンサースイッチ６１ａ，６１ｂが共にＯＦＦに切り替わり、これにより昇降駆動手段５が停止して座部２の下降が停止する。
【００２８】
また、座部２の中央付近に被検知物があって、その被検知物に例えば可動部材６０の左側（吊り下げ支点６２ａ，６２ｄ側）の横触枠６０ｇの中程付近が当たった場合は、左側の吊り下げ支点６２ａ，６２ｄが浮き上がり、可動部材６０が右側の吊り下げ支点６２ｂ，６２ｃの軸端を支点として左上がりに揺動する。そして、その揺動に伴う左側のスイッチ操作部材６０ｅの上昇により、左側のセンサースイッチ６１ａのアクチュエータ６３が押されてＯＦＦに切り替わり、これにより昇降駆動手段５が停止して座部２の下降が停止する。
なお、被検知物が可動部材６０の右側（吊り下げ支点６２ｂ，６２ｃ側）の横触枠６０ｇの中程付近に当たった場合は、可動部材６０が逆の右上がりに傾いて右側のセンサースイッチ６１ｂがＯＦＦに切り替わる。
【００２９】
また、座部２の中央付近に被検知物が入って、その被検知物が可動部材６０の中央付近に当たった場合は、全ての吊り下げ支点６２ａ〜６２ｄが浮き上がるため、可動部材６０が被検知物との当たり加減により真っ直ぐか或は斜めに傾いた姿勢で上動する。そして、その上動に伴うスイッチ操作部材６０ｅの上昇により、上記と同様にアクチュエータ６３が押されてセンサースイッチ６１ａ，６１ｂが共にＯＦＦに切り替わり、これにより昇降駆動手段５が停止して座部２の下降が停止する。
【００３０】
なお、座部２が停止している状態で被検知物を可動部材６０から離せば、可動部材６０が元の自由な吊り下げ状態に戻るため、センサースイッチ６１ａ，６１ｂがＯＮに切り替わって通常通りの使用が可能になる。
【００３１】
以上、本発明を実施の形態について説明したが、もちろん本発明は上記実施形態に限定されるものではない。例えば、実施形態では、センサースイッチ６１ａ，６１ｂを、可動部材６０の前後方向左列に並ぶ吊り下げ支点６２ａ，６２ｄと、同じく右列に並ぶ吊り下げ支点６２ｂ，６２ｃの間のほぼ中央においてその可動部材６０の上下方向の変位を検知すべく、左右の座受けアーム８，８のセンサー受枠８ａ側の内面に一個ずつ合計二個を対向配置したが、可動部材６０の左右方向前列に並ぶ吊り下げ支点６２ａ，６２ｂと、同じく後列に並ぶ吊り下げ支点６２ｃ，６２ｄの間のほぼ中央においてその可動部材６０の上下方向の変位を検知することもできる。その場合は、例えば左右の座受けアーム８の前後に横アーム（図示せず）を固設してその横アームにセンサー受枠８ａを設けるようにすればよい。
【００３２】
また、実施形態では、センサースイッチ６１ａ，６１ｂとしてマイクロスイッチを例示したが、リミットスイッチ等それ以外のスイッチを使用してもよい。
また、実施形態では、可動部材６０を線材による骨組み構造で形成したが、パンチングメタル等の金属板をトレー状に形成したものでもよい。その場合、吊り下げ支点６２ａ〜６２ｄの横杆６０ｂはフランジ状にすればよい。
また、実施形態では昇降駆動手段５を伸縮ロッドで形成したが、座部２を昇降させることが可能である限り、どのようなものであってもよい。
また、実施形態では、下降障害検知センサー６による被検知物の検知を受けて昇降駆動手段５が停止するようになっているが、センサースイッチ６１ａ，６１ｂを昇降駆動手段５の座部２を上昇させる回路とは切り離し、そうしてセンサースイッチ６１ａ，６１ｂがＯＦＦの場合でも昇降駆動手段５による座部２の上昇のみ可能となるようにしてもよい。そしてさらに、昇降駆動手段５が下降停止してから自動的に上昇に転じるように設定してもよい。
【符号の説明】
【００３３】
１  …椅子
２  …座部
４  …支台部
５  …昇降駆動手段
６  …下降障害検知センサー
６０  …可動部材
６０ｅ  …スイッチ操作部材
６１ａ，６１ｂ  …センサースイッチ
６２ａ〜６２ｄ  …吊り下げ支点
７  …座板
８  …座受けアーム
８ａ  …センサー受枠
１０  …カバー部材
１１  …ガイド溝
Ｆ  …床面
Ｑ  …仮想四角形
【図１】
2014068984.tif 000003
【図２】
2014068984.tif 000004
【図３】
2014068984.tif 000005
【図４】
2014068984.tif 000006
【図５】
2014068984.tif 000007
【図６】
2014068984.tif 000008
【図７】
2014068984.tif 000009
【図８】
2014068984.tif 000010
【図９】
2014068984.tif 000011